(57)【要約】【課題】球誘導レールを遊技盤に簡単・確実に取付けることができるとともに、球飛びのよい弾球遊技機を提供する。【解決手段】射出成形されるプラスチック製の弾球遊技機用遊技盤であって、該遊技盤１の前面に弾性帯鋼板からなる球誘導レール３ａ，３ｂの一側縁が差し込まれる保持溝２ａ，２ｂを形成し、該保持溝の内側面に該球誘導レールに当接する複数の当接部６を交互に形成し、該当接部により該球誘導レールを挟着することで該球誘導レールを該遊技盤の前面に起立状に支持する。【選択図】図６
2010110426.tif 000002
【特許請求の範囲】
【請求項１】
射出成形されるプラスチック製の弾球遊技機用遊技盤であって、該遊技盤の前面に弾性帯鋼板からなる球誘導レールの一側縁が差し込まれる保持溝を形成し、該保持溝の内側面に該球誘導レールに当接する複数の当接部を形成し、該当接部により該球誘導レールを挟着することで該球誘導レールが該遊技盤の前面に起立状に支持されるようにしたことを特徴とする遊技盤の球誘導レール取付構造。
【請求項２】
保持溝の相対する内側面に複数の当接部を交互に形成したことを特徴とする請求項１に記載の遊技盤の球誘導レール取付構造。
【請求項３】
保持溝の底面に細幅溝を形成し、球誘導レールを該細幅溝中に係止したことを特徴とする請求項１または２に記載の遊技盤の球誘導レール取付構造。
【請求項４】
保持溝内に弾性爪片を設け、該保持溝に差し込まれた球誘導レールに該弾性爪片を係合させることで該球誘導レールが抜止されるようにしたことを特徴とする請求項１〜３のいずれかに記載の遊技盤の球誘導レール取付構造。
【発明の詳細な説明】
【技術分野】
【０００１】
本発明は、パチンコ球を遊技媒体とするパチンコ遊技機、アレンジボール、雀球遊技機等の弾球遊技機用の遊技盤であって、球誘導レールを該遊技盤に取付する構造に関するものである。
【背景技術】
【０００２】
パチンコ遊技機における遊技盤の前面には、周知のように、球発射装置から発射されたパチンコ球を遊技盤の上部に誘導するための帯板状の球誘導レール（外レール）が円弧状に設けられ、該球誘導レールの内側には同じく帯板状の球誘導レール（内レール）が円弧状に設けられ、該球誘導レールの下部にアウト球排出孔を設けると共に、これらの球誘導レールの内側の遊技領域に多数の釘、入賞口、可変入賞装置、図柄表示装置等を設けてなる。
【０００３】
下記特許文献１には、球誘導レールをヘアピン状に折れ曲がったタックと呼ばれる釘に係合させると共に、遊技盤に一定間隔で取付孔を開設し、該タックを該取付孔に打ち付けることで遊技盤に対し該球誘導レールを取付ける構造が示されている。
また下記特許文献２は、球誘導レールの背面に取付片を一体に成形（横断面がＬ字状になる）し、該取付片を遊技盤にビス等で止着することにより、遊技盤に該球誘導レールを取付ける構造を示すものである。
【特許文献１】特開２００１−２９３１５８号公報
【特許文献２】特許第４０９９８０１号公報
【発明の開示】
【発明が解決しようとする課題】
【０００４】
ところで一般に弾球遊技機では、遊技者がハンドル操作することにより発射装置から発射されたパチンコ球が遊技者の思い通りの遊技盤位置に飛んでゆくようにするために、球誘導レールにはパチンコ球が滑走する際にその球圧力で適度に撓み得るように一定の弾力性があることが必要とされ、そのために０．５ｍｍ〜０．６ｍｍの厚さの弾性を有するステンレス帯鋼板からなる球誘導レールが従来から使用されている。そして、この球誘導レールは、上記特許文献１に示されたように、遊技盤に一定間隔でタックを打ち付けて取付けられるが、従来のこのような取付構造では、タックがパチンコ球と衝突しないようにするために該タックを球誘導レールの一側縁のわずかな限られた部分にだけ係合せざるを得ないため、球誘導レールの支持が不安定になり易く、球誘導レールが遊技盤の表面に垂直（９０度）に保持されないことがあるので、球発射装置から発射されたパチンコ球がレール幅方向にずれ、透明板（ガラス板）に当たり異音を発生させたり、その反対にパチンコ球が遊技盤表面に接して飛翔してゆく状況となり、そのために球飛びが悪くなるおそれがあった。また、タックの付近とタックから離れた部分とでは該球誘導レールの弾力性および撓み方に差異が生じることも球飛びを悪くする要因となるものであった。
【０００５】
一方、上記特許文献２に示された球誘導レールは、背面に形成された取付片が外方に出っ張るために、装飾ランプ等の他の部品を取付するためのスペースが球誘導レール取付のために占有されたり、球誘導レール内側の遊技領域を縮小させるおそれがあると共に、取付片が一体に形成されたものであるためにレール全体が硬質となりパチンコ球が滑走する際に必要な適度な撓みが得られず球飛びが悪いという問題があった。
本発明はこのような従来の遊技盤の球誘導レール取付構造の課題を解決しようとするものである。
【課題を解決するための手段】
【０００６】
そのために本発明に係る遊技盤の球誘導レール取付構造は、射出成形されるプラスチック製の弾球遊技機用遊技盤であって、該遊技盤の前面に弾性帯鋼板からなる球誘導レールの一側縁が差し込まれる保持溝を形成し、該保持溝の内側面に該球誘導レールに当接する複数の当接部を形成し、該当接部により該球誘導レールを挟着することで該球誘導レールが該遊技盤の前面に起立状に支持されるようにしたことを特徴とする。
また本発明は上記球誘導レール取付構造において、保持溝の相対する内側面に複数の当接部を交互に形成したことを特徴とする。
また本発明は上記球誘導レール取付構造において、保持溝の底面に細幅溝を形成し、球誘導レールを該細幅溝中に係止したことを特徴とする。
また本発明は上記球誘導レール取付構造において、保持溝内に弾性爪片を設け、該保持溝に差し込まれた球誘導レールに該弾性爪片を係合させることで該球誘導レールが抜止されるようにしたことを特徴とする。
【発明の効果】
【０００７】
球誘導レールを遊技盤に簡単・確実に取付けることができるとともに、球飛びのよい弾球遊技機を提供することができる。
【発明を実施するための最良の形態】
【０００８】
次に本発明の実施形態を図面に従い説明する。図１は本発明に係る遊技盤の正面図、図２はその斜視図、図３は球誘導レールを取付けたときの遊技盤の斜視図である。該遊技盤１はプラスチックの射出成形により板状に成形されるもので、２ａ，２ｂは該遊技盤１の前面に夫々円弧状に形成された保持溝である。その一方の保持溝２ａは、球発射装置（図示せず）から発射されたパチンコ球を該遊技盤の上部に誘導するための球誘導レール（外レール）３ａを取付けるためのものである。また、他方の保持溝２ｂは、遊技領域４を流下するパチンコ球をアウト球排出孔５に導くための球誘導レール（内レール）３ｂを取付けるためのもので、保持溝２ａの内側に形成される。遊技領域４には多数の釘、入賞口、可変入賞装置、図柄表示装置等が取付けられる。なお、該遊技盤１は、図４にその裏面図を示したように、プラスチック成形品としての均一な肉厚を保つために、周囲７を額縁状に形成すると共に、突堤８ａ，８ｂを形成し、該突堤中に保持溝２ａ，２ｂが形成されるようにしている。
【０００９】
球誘導レール３ａ，３ｂは、厚さ０．５〜０．６ｍｍ、幅２５ｍｍ程度のステンレス製弾性帯鋼板からなるもので、該球誘導レールの一側縁が保持溝２ａ，２ｂに差し込まれる。該保持溝２ａ，２ｂの内側面には図５、図６に示したように当接部６が一体に形成され、保持溝２ａ，２ｂに差し込まれた球誘導レール３ａ，３ｂに該当接部６が当接することで、該球誘導レール３ａ，３ｂが該当接部により挟着され、該球誘導レール３ａ，３ｂが該遊技盤１の前面に起立状に支持される。なお、該当接部６はこの実施形態では保持溝２ａ，２ｂを形成する側壁を長手方向に適宜間隔で凹凸状に折曲させることで形成している。そして、該当接部６は保持溝２ａ，２ｂの開口部付近を斜めに切除しガイド面６ａを形成することで、球誘導レール３ａ，３ｂの差し込みが容易になるようにしている。そして、このような複数の当接部６を保持溝２ａ，２ｂの相対する内側面に適宜間隔を置いて交互（千鳥状）に形成することにより、球誘導レール３ａ，３ｂの両面に該当接部６が片面ずつ交互に圧着し得る。このように球誘導レール３ａ，３ｂの両面を当接部６に交互に圧着させることにより、球誘導レール３ａ，３ｂの弾力性が生かされる。そして、球誘導レール３ａ，３ｂを保持溝２ａ，２ｂに差し込むだけで、該球誘導レール３ａ，３ｂを遊技盤１の前面に垂直に確固として起立させることができる。このため、組み立てが簡単になるだけでなく、球発射装置から発射されたパチンコ球がレール幅方向にずれることなく真直に誘導され、球飛びを良好にすることができる。
【００１０】
また、保持溝２ａ，２ｂの底面の中心線上に細幅溝７が形成され、該細幅溝７中に球誘導レール３ａ，３ｂの側端縁が係止されるようにすることで、該球誘導レール３ａ，３ｂは一層強固に保持される。なお、図６中に２点鎖線で示したようにパチンコ球Ｂは該球誘導レール３ａ，３ｂに沿って滑走する。
【００１１】
上記当接部６は、図７、図８に示したように、保持溝２ａ，２ｂの内面に溝深さ方向に長いリブ状に形成してもよい。或いは、図９に示したように、溝深さ方向に長い横断面半円状の当接部６を形成してもよい。このように、該当接部６の形状により、球誘導レール３ａ，３ｂに対する接触面積が適宜調整され、これによって保持溝２ａ，２ｂに差し込んだ際の球誘導レール３ａ，３ｂの弾力性を最適なものに設定することができる。また、保持溝２ａ，２ｂの内面に当接部６を形成する間隔（溝長手方向）を適宜設定することによっても球誘導レール３ａ，３ｂの弾力性を適当に設定し得る。こうして、弾力性を適当に設定することにより該球誘導レール３ａ，３ｂ上をパチンコ球Ｂが滑走する際に該球誘導レール３ａ，３ｂに適度な撓みが得られ、その弾発力から球飛びが著しく良好になり得る。
【００１２】
また、図１０、図１１は、球誘導レール３ａ，３ｂを保持溝２ａ，２ｂ中から抜止するための構成を示す。ここでは、球誘導レール３ａ，３ｂの側縁部に係合孔９を開設すると共に、保持溝２ａ，２ｂの側壁に切欠１０をコ字形に形成することにより弾性爪片１１を形成し、該弾性爪片の先端に前記係合孔９に係合し得る爪部１１ａを形成し、球誘導レール３ａ，３ｂを保持溝２ａ，２ｂ中に差し込んだ際に、図１１に示したように該爪部１１ａが係合孔９に係合することで抜け難くなるようにしている。このような抜止を適宜間隔にて保持溝２ａ，２ｂに形成することにより、球誘導レール３ａ，３ｂが抜出るのを防止することができる。図１２は、球誘導レール３ａの下端部付近にこの抜止構造を設けた例を示すものであるが、球誘導レール３ａの下端部付近は球発射装置から発射されたパチンコ球から特に強く当たるためにその振動により該球誘導レールが抜出すことのないようにこのような抜止を設けることが望ましい。
【００１３】
また、図１３〜図１６は、同じく球誘導レール３ａ，３ｂを保持溝２ａ，２ｂ中から抜止するための構成を示すが、ここでは、突堤８ａ，８ｂの一部に切欠部１２を設けると共に、遊技盤１とは別体の部品として該切欠部に合致する抜止部材１３を形成し、該抜止部材１３には球誘導レール３ａ，３ｂに開設された係合孔９に係合し得る爪部１１ａを有した弾性爪片１１を形成し、保持溝２ａ，２ｂに球誘導レール３ａ，３ｂを差し込んだ後、該抜止部材１３を該切欠部１２に装着することで爪部１１ａが係合孔９に係合し、球誘導レール３ａ，３ｂが抜止される。なお、１４は抜止部材１３の幅方向への無用な盲動を防ぐために遊技盤１の裏面に突設した位置決片である。この場合、該抜止部材１３の一側壁に爪部１１ａを露呈させる窓孔１３ａが形成され、該窓孔１３ａから装入し得る棒状の工具により爪部１１ａを押圧し、該爪部１１ａと係合孔９との係合を外し、該抜止部材１３を抜き取ることにより、球誘導レール３ａ，３ｂを保持溝２ａ，２ｂから離脱させることも容易になる。
【００１４】
また、図１７、図１８に示したように、保持溝２ａの一側壁（突堤８ａ）に開口部１５を形成し、該開口部１５の外側で遊技盤１の裏面にボス１６を突設し、該ボスにビス１７により鉤形の導電部材１８を回転可能に止着し、該導電部材１８にはアース線１９の一端を接続すると共に、該開口部１５に相当する球誘導レール３ａの側縁部に係合孔２０を開設し、該導電部材１８を矢印の方向に回転させ、該導電部材１８の先端部を該係合孔２０に係合させ、球誘導レール３ａとアース線１９とを電気的に導通させることにより、パチンコ球Ｂとの摩擦で該球誘導レール３ａに発生した静電気が該アース線１９を通して外部にリークされるようにしている。このように導電部材１８を球誘導レール３ａに係合させることにより、該導電部材１８は球誘導レール３ａの抜脱防止と静電気防止との両機能が兼ね備えられる。
【００１５】
このように、本発明では遊技盤１の前面に適宜な深さの保持溝２ａ，２ｂを形成し、該保持溝２ａ，２ｂに球誘導レール３ａ，３ｂを差し込むことで、従来のタックによる固定よりも安定的に球誘導レールを支持することが可能となり、球飛びも良好なものとなる。
【００１６】
なお、この実施形態では、保持溝２ａ，２ｂの相対する内側面に当接部６を交互（千鳥状）に形成したが、当接部６はこのように必ずしも交互に形成しなくてもよい。また、細幅溝７についても必ずしも形成しなくても、当接部６によって球誘導レール３ａ，３ｂを常に安定的に挟着支持することができる。
【図面の簡単な説明】
【００１７】
【図１】本発明に係る弾球遊技機の遊技盤の正面図。
【図２】図１の遊技盤の斜視図。
【図３】本発明に係る遊技盤の球誘導レールを取付けたときの斜視図。
【図４】本発明に係る遊技盤の裏面図。
【図５】本発明に係る遊技盤の前面の部分断面拡大斜視図。
【図６】図５の遊技盤に球誘導レールを取付けたときの保持溝の横断面図。
【図７】本発明に係る遊技盤の前面の部分断面拡大斜視図。
【図８】図７の遊技盤に球誘導レールを取付けたときの保持溝の横断面図。
【図９】本発明に係る遊技盤の前面の部分断面拡大斜視図。
【図１０】本発明に係る遊技盤の前面の部分断面拡大斜視図。
【図１１】図１０の遊技盤に球誘導レールを取付けたときの保持溝の横断面図。
【図１２】本発明に係る遊技盤の前面の部分断面拡大斜視図。
【図１３】本発明に係る遊技盤の裏面の部分断面拡大斜視図。
【図１４】本発明に係る遊技盤の裏面の部分断面拡大斜視図。
【図１５】本発明に係る遊技盤の裏面の部分断面拡大斜視図。
【図１６】図１５のＡ−Ａ線断面図。
【図１７】本発明に係る遊技盤の裏面の部分断面拡大斜視図。
【図１８】図４のＢ−Ｂ線断面拡大図。
【符号の説明】
【００１８】
１            遊技盤
２ａ，２ｂ    保持溝
３ａ，３ｂ    球誘導レール
６            当接部
７            細幅溝
９            係合孔
１１          弾性爪片
１３          抜止部材
１８          導電部材
１９          アース線
Ｂ            パチンコ球
【図１】
2010110426.tif 000003
【図２】
2010110426.tif 000004
【図３】
2010110426.tif 000005
【図４】
2010110426.tif 000006
【図５】
2010110426.tif 000007
【図６】
2010110426.tif 000008
【図７】
2010110426.tif 000009
【図８】
2010110426.tif 000010
【図９】
2010110426.tif 000011
【図１０】
2010110426.tif 000012
【図１１】
2010110426.tif 000013
【図１２】
2010110426.tif 000014
【図１３】
2010110426.tif 000015
【図１４】
2010110426.tif 000016
【図１５】
2010110426.tif 000017
【図１６】
2010110426.tif 000018
【図１７】
2010110426.tif 000019
【図１８】
2010110426.tif 000020